(57)【要約】【課題】  現在知られている結晶化方法の限界および不利な点を克服することである。【解決手段】  非荷電形および少なくとも１つの荷電形を有する弱酸性および／または弱塩基性化合物の結晶化方法であって、ａ）溶媒中の前記化合物の溶液を、初期ｐＨ値および前記化合物の初期全濃度を有し、前記初期ｐＨ値は前記化合物が前記溶液中で主に前記荷電形で存在するように選択され、前記初期全濃度が前記非荷電形の固有溶解度より高く選択されるよう準備するステップと、ｂ）前記溶液のｐＨ値を、前記溶液が実質的に飽和状態であり前記非荷電形の濃度が実質的に前記固有溶解度に等しくなる予め決定した目標ｐＨ値に到達するまで前記化合物の溶解度の減少に導く方向に徐々に変化させるステップ、およびｃ）前記化合物の結晶形成をさせながら前記溶液を実質的に飽和状態に維持するステップを含む。【選択図】  図５
2007069208.tif 000002
【特許請求の範囲】
【請求項１】
弱酸性および／または弱塩基性化合物の結晶化方法であって、前記化合物が非荷電形および少なくとも１つの荷電形を有し、前記方法は、
ａ）溶媒中の前記化合物の溶液を、初期ｐＨ値および前記化合物の初期全濃度を有し、前記初期ｐＨ値は前記化合物が前記溶液中で主に前記荷電形で存在するように選択され、前記初期全濃度が前記非荷電形の固有溶解度より高く選択されるよう準備するステップと、
ｂ）前記溶液のｐＨ値を、前記溶液が実質的に飽和状態であり前記非荷電形の濃度が実質的に前記固有溶解度と等しくなる予め決定した目標ｐＨ値に到達するまで前記化合物の溶解度の減少に導く方向へ徐々に変化させるステップ、および
ｃ）前記化合物の結晶形成をさせながら前記溶液を実質的に飽和状態に維持するステップを含むことを特徴とする、弱酸性および／または弱塩基性化合物の結晶化方法。
【請求項２】
前記ステップｂ）がさらに前記化合物の全濃度を高めることを含む、請求項１に記載の方法。
【請求項３】
前記ステップｃ）が前記溶媒の蒸発を遅らせながらｐＨ値を実質的に一定に保持することを含む、請求項１に記載の方法。
【請求項４】
前記ステップｃ）が、前記非荷電形の濃度を前記固有溶解度より上の予め規定した許容範囲内に保持するよう前記非荷電形の濃度の監視およびｐＨ値の規制を含む、請求項１に記載の方法。
【請求項５】
前記ステップｃ）が、前記化合物の全濃度を予め決定した全溶解度プロフィールより上の予め規定した許容範囲内に保持するよう前記化合物の全濃度の監視およびｐＨ値の規制を含む、請求項１に記載の方法。
【請求項６】
請求項４または５に従った方法を実施する装置であって、
ａ）前記溶液用の容器と、
ｂ）前記溶液のｐＨ値を測定するプローブと、
ｃ）前記溶液に管理された量の酸および塩基を添加するための投与手段と、
ｄ）溶液中に存在する少なくとも１つの化合物の形の濃度を測定するためのセンサー、および
ｅ）前記ｐＨプローブおよび前記センサーから受け取った信号に応答して、前記投与手段が予め規定したプロフィールに合致するよう前記ｐＨ値を規制するようにプログラムされる前記投与手段に作用するコントロール手段を含むことを特徴とする装置。
【発明の詳細な説明】
【技術分野】
【０００１】
本発明は弱酸性および／または弱塩基性化合物の結晶化方法およびその方法を実施するための装置に関する。
【背景技術】
【０００２】
結晶化は、各種の商業プロセス、例えばバイオテクノロジー、選鉱、排水処理、エネルギー貯蔵、新素材および電子科学部品における重要な精製および分離技術である。結晶化は溶液中、気体または融体から生じることができる。化学工業における大抵のプロセスは溶液からの結晶化を用い、その出発点は飽和溶液を作りだすことにある。しかしながら、現在知られている方法では、飽和溶液の形成には時間がかかることが多い。通常、化合物の溶解性および不溶解性の形間の平衡が達成されるまで数日かかる。それゆえ、飽和溶液の代わりに、結晶化の出発点として過飽和溶液がほとんどの場合用いられる。しかしながら、そのような場合、結晶化に適切な過飽和は化合物ごとに異なり、化合物の結晶化能力に依存するので、過飽和のレベルを知ることが重要である。一般的に、過飽和のレベルを下げると、結晶成長は遅くなり、結晶の質は向上する。
【０００３】
ウォン(Wang)はニコチン酸ナトリウム水溶液に塩酸を添加してニコチン酸の極度に高い過飽和を得ようとしている（Wang, F. and Berglund, KA.「弱めた全反射フーリエ変換赤外線分光分析を用いたニコチン酸ｐＨ振動結晶化の監視」(“Monitoring pH swing crystallization of nicotinic acid by the use of attenuated total reflection Fourier transform infrared spectrometry”), Industrial & Engineering Chemistry Research 39(6), 2000, p.2101-2104、非特許文献１）。そのとき最高過飽和点がニコチン酸の結晶化の出発点として用いられた。
【０００４】
他の例は、シュー(Zhu)によって開発されたｐＨ変動による管理されたバッチ結晶化である（Zhu, J. and Garside, J.「ｐＨ変動による管理されたバッチ結晶化」(“Controlled batch crystallization by pH variation”, Jubilee Research Event, a Two-Day Symposium, Nottingham, UK, Apr.8-9, 1997, 1, p.449-452、非特許文献２）。シューによれば、過飽和の短いパルスが結晶化を初動し、全結晶化工程の間、一定のレベルの過飽和を維持するためｐＨの変化を用いる。さらにシューは操作時間を短縮するためできるだけ高い過飽和レベルに高めるのを試みた。
【０００５】
しかしながら、過飽和は非晶質材料の形成および結晶欠陥の発生のリスクとみなされる。それゆえ、過飽和溶液に依存する現在知られている結晶化のための方法では、結晶化速度と形成される結晶の質間の妥協を見つけようと、それぞれのケースに適切なレベルの過飽和を確立しなければならない。
【非特許文献１】（Wang, F. and Berglund, KA.「弱めた全反射フーリエ変換赤外線分光分析を用いたニコチン酸ｐＨ振動結晶化の監視」(“Monitoring pH swing crystallization of nicotinic acid by the use of attenuated total reflection Fourier transform infrared spectrometry”), Industrial & Engineering Chemistry Research 39(6), 2000, p. 2101-2104）
【非特許文献２】（Zhu, J. and Garside, J.「ｐＨ変動による管理されたバッチ結晶化」(“Controlled batch crystallization by pH variation”, Jubilee Research Event, a Two-Day Symposium, Nottingham, UK, Apr.8-9, 1997, 1, p.449-452）
【発明の開示】
【発明が解決しようとする課題】
【０００６】
本発明の主な目的は現在知られている結晶化方法の限界および不利な点を克服することである。
【課題を解決するための手段】
【０００７】
上記のおよびさらなる目的は本発明の方法および装置によって達成される。
【０００８】
本発明の１つの局面によると、それは弱酸性および／または弱塩基性化合物の結晶化方法であって、前記化合物が非荷電形および少なくとも１つの荷電形を有し、前記方法は、
ａ）溶媒中の前記化合物の溶液を、初期ｐＨ値および前記化合物の初期全濃度を有し、前記初期ｐＨ値は前記化合物が前記溶液中で主に前記荷電形で存在するよう選択され、前記初期全濃度が前記非荷電形の固有溶解度より高く選択されるよう準備するステップと、
ｂ）前記溶液のｐＨ値を、前記溶液が実質的に飽和状態であり前記非荷電形の濃度が実質的に前記固有溶解度と等しくなる予め決定した目標ｐＨ値に到達するまで前記化合物の溶解度の減少に導く方向へ徐々に変化させるステップ、および
ｃ）前記化合物の結晶形成をさせながら前記溶液を実質的に飽和状態に維持するステップを含むことを特徴とする、弱酸性および／または弱塩基性化合物の結晶化方法である。
【０００９】
この手順において、目的の化合物の飽和溶液でなく比較的に高濃度溶液、すなわち非荷電形の固有溶解度よりも高い全濃度で開始する。溶液のｐＨ値を前記化合物の溶解度の減少に導く方向へ徐々に変化させることにより、溶液が実質的に飽和状態にある状況に急速に進行する。溶液を実質的に飽和状態に維持することにより、結晶化が最も望ましい条件下で実施され、特に過飽和の状態から結晶化に伴う欠点を避けることができる。
【００１０】
本発明の方法は、各種溶媒に適用される。特に溶媒は水または水系混合溶媒であってもよい。適用の前提は、目的の化合物が前記溶媒中で弱酸性および／または弱塩基性として作用することである。本発明の文脈において、弱酸はｐＫ値が２乃至７の化合物、一方、弱塩基性はｐＫ値が７乃至１２の化合物として理解されるべきである。本方法はまた１ｐＫ値を超える化合物にも適用できる。
【００１１】
２つ以上の形を有す１つの化合物の全濃度は溶液中に存在する全ての化合物の形の濃度の合計として定義される。平衡状態では、この全濃度は化合物の有効溶解度に等しい。
【００１２】
与えられた溶媒中の化合物の固有溶解度は、非荷電形の沈殿物が存在する平衡状況で達成できる非荷電形の最大濃度として定義される。したがって、弱酸性および／または弱塩基性の固有溶解度は実質的にすべての化合物が非荷電形で存在する条件下でその化合物の平衡全濃度に等しい。そのような条件は弱酸性および／または弱塩基性化合物に対してｐＨ値の適切な調整によって達成されるかもしれない。固有溶解度を決定する方法は当該技術で公知である（例えばAvdeef, A.「ｐＨ分析溶解度、1.ビヨラムプロットからの溶解度−ｐＨプロフィール、Gibbs緩衝液および固体状態でのｐＫＡ(“pH-metric solubility. 1. Solubility-pH profiles from Bjerrum plots. Gibbs buffer and pKA in the solid state”), Pharmacy and Pharmacology Communications 4(3), 1998, p.165-178参照）。
【００１３】
本発明の有利な実施態様は従属する請求の範囲で定義される。
【００１４】
１つの実施態様において、上記のステップｂ）はさらに前記化合物の全濃度を高めることを含む。このことは、特にｐＨ値を前記目標のｐＨ値に調整した後に前記溶媒の蒸発を遅らせることにより有利に達成される。
【００１５】
さらに１つの実施態様において、前記溶液を実質的に飽和状態に維持するステップは前記溶媒の蒸発を遅く生じさせながらｐＨ値を実質的に一定に保持することを含む。
【００１６】
他の実施態様において、前記溶液を実質的に飽和状態に維持するステップは前記非荷電形の濃度を前記固有溶解度より上の予め規定した許容範囲内に保持するよう、前記非荷電形の濃度の監視およびｐＨ値の規制を含む。実際に、このことは非荷電形の濃度を連続的に、または時々監視する必要がある。もし前記濃度が前記予め規定された許容範囲外の値に達する場合、少量の強酸または強塩基、例えば、それぞれ塩酸または水酸化カリウムを非荷電形の濃度が許容範囲内に戻るまでその溶液に添加される。
【００１７】
さらに他の実施態様において、前記溶液を実質的に飽和状態に維持するステップは、前記化合物の全濃度を予め決定した全溶解度プロフィールより上の予め規定した許容範囲内に保持するよう前記化合物の全濃度の監視およびｐＨ値の規制を含む。実際には、このことは全濃度を連続的に、または時々監視する必要がある。さらに、前記化合物の全濃度の以前に決定されたプロフィールをｐＨ値の関数として、少なくとも目的のｐＨの範囲においてアクセスする必要があろう。そのような溶解度プロフィールの決定方法は当該技術で公知である（例えばAvdeef, A.「物理化学のプロファイリング（溶解度、浸透性および荷電状態）」(“Physicochemical profiling (solubility, permeability and charge state.”), Current Topics in Medicinal Chemistry (Hilversum, NL) 1 (4), 2001, p.277-351参照）。もしある時点のｐＨ値で化合物の全濃度が前記の全溶解度プロフィールから前記予め規定した許容範囲を超えて異なる場合、少量の強酸または強塩基、例えば、それぞれ塩酸または水酸化カリウムをそのｐＨ値での全濃度が許容範囲内に戻るまでその溶液に加えられる。
【００１８】
本発明の他の局面によれば、以下に提供される、弱酸性および／または弱塩基性化合物の結晶化を実施するための装置であって、
ａ）前記溶液用の容器と、
ｂ）前記溶液のｐＨ値を測定するプローブと、
ｃ）前記溶液に管理された量の酸および塩基を添加するための投与手段と、
ｄ）溶液中に存在する少なくとも１つの化合物の形の濃度を測定するためのセンサー、および
ｅ）前記ｐＨプローブおよび前記センサー手段から受け取った信号に応答して、前記投与手段が予め規定したプロフィールに合致するよう前記ｐＨ値を規制するようにプログラムされる前記投与手段に作用するコントロール手段を含む装置である。
【発明を実施するための最良の形態】
【００１９】
上記および他の特徴、本発明の目的およびそれらを達成する方法はより明らかになり、本発明自体が付随した図面と併せて本発明の各種の実施態様の以下の説明を参照することでよりよく理解されるであろう。
【実施例】
【００２０】
実施例として、ジクロフェナク、ファモチジン、フルルビプロフェン、フロセミド、ヒドロクロロチアジド、ケトプロフェン、プロパノロールおよびキニーネを用いた。これらの化合物は市販されている。これらの化合物のすべては弱酸、弱塩基または一般的に２〜１０の範囲のｐＫ値を有する両性電解質である。
【００２１】
弱塩基および／または弱酸の溶解度
図１は弱塩基Ｂの溶解度プロフィールを有効な溶解度ＳをｐＨ値の関数として示している。有効な溶解度Ｓは平衡での化合物の全濃度と等しい。そのようなプロフィールは「溶解度−ｐＨプロフィール」としても扱われるであろう。当面、塩基Ｂの溶液とその溶液に接触する相当量の固体とが平衡状況にあると仮定される。非常に高いｐＨ値（領域ａ）で、化合物のすべてが実質的に非荷電形Ｂとして存在し、自由塩基形とも称される。非常に低いｐＨ値（領域ｄ）で、化合物のすべてが実質的にプロトンと化した形のＢＨ＋として存在する。中間のｐＨ値で、非荷電形とプロトン化した形とがｐＨ値に依存する比率で共存する。有効な溶解度Ｓは平衡でのＢとＢＨ＋の濃度の合計に等しい。図１から分かるように、非荷電形の溶解度は、固有溶解度Ｓ０とも称されるが、塩溶解度とも称せられる、プロトン形溶解度のＳ＋よりも小さい。
【００２２】
領域ａを再度考察してみると、有効な溶解度Ｓは実質的にｐＨに依存しないことが分かる。このことは、非常に高いｐＨ値でのｐＨにおけるわずかな変化は非荷電形とプロトン化した形との間の比率に実質的に影響を与えず、その比率が大きいためである。したがって、有効な溶解度Ｓは実質的に固有溶解度Ｓ０に等しい。
【００２３】
さて、幾分低いｐＨ値の状況（図１の領域ｂを参照）を考察すると、化合物の幾分かはプロトン化した形ＢＨ＋である。ここで有効な溶解度Ｓはそれぞれ非荷電形およびプロトン化した形の寄与を反映する２つの項を含む。領域ｂにおいて、ｐＨ値を低下することは有効溶解度の増加を伴う。基盤となす平衡は以下のように表現されるかもしれない。
【化１】
2007069208.tif 000003
【００２４】
つまり、溶液中の非荷電形Ｂは溶液中の荷電した対象ＢＨ＋および非荷電の固体形B(S)と平衡にある。
【００２５】
領域ｂにおいて、ｐＨを低下することはＢのプロトン化をＢＨ＋へ誘導し、それが「失った」Ｂと取って代わるために固体形B(S)の溶解を誘発する。
Ｂ（Ｓ）→Ｂ
Ｂ＋Ｈ＋→ＢＨ＋
【００２６】
このプロセスはいわゆる「完全」緩衝系に到達するまで続くであろう（例えば上掲Avdeef, A.、2001参照）。その点で、即ち、図１の点２で固体の自由塩基Ｂ（Ｓ）およびその固体の共役酸ＢＨ＋（Ｓ）が共存し、それによってｐＨおよび有効溶解度を、２つの相互に変換する固体が存在する限り、一定にするように働く。この特異なｐＨ点がギブスのｐＫａ（ｐＫａＧＩＢＢＳ）として呼ばれている。この現象に伴う平衡式は以下であり、
【化２】
2007069208.tif 000004
付随する平衡定数は以下で与えられる。
【数１】
2007069208.tif 000005
【００２７】
点２の有効溶解度は固有溶解度と塩の溶解度の合計で与えられる。
Ｓ＝Ｓ０＋Ｓｉ
【００２８】
点２からさらに、固体相がプロトン化した形ＢＨ＋（Ｓ）だけからなる低いｐＨ値（即ち、領域ｃ）へ移動すると、ＢＨ＋の濃度は一定になり塩の溶解度と等しくなる。ＢのＢＨ＋（Ｓ）へのプロトン化はさらにプロトン化した固体形成および溶液中の成分Ｂの損失を導く。
Ｂ＋Ｈ＋→ＢＨ＋
ＢＨ＋→ＢＨ＋（Ｓ）
【００２９】
それゆえ、有効溶解度は、領域ｄに達するまで減少する。領域ｄにおいて、ＢＨ＋に変換されるＢがなくなり、支配的な平衡は以下に記載される。
【化３】
2007069208.tif 000006
【００３０】
弱塩基Ｂの代わりに弱酸性化合物ＨＡを取り扱う場合、関係する溶解度プロフィールは図２に示される一般的外観を有する。ここで非電荷形ＨＡは遊離酸形とも称され、低ｐＨ値で優位を占め、一方、より高いｐＨ値では脱プロトン化が増加し負に荷電した形Ａ−となる。１ｐＫ値よりも大きな化合物を扱う場合、溶解度プロフィールは酸性条件下で正に荷電し塩基性条件化で負に荷電する物質となって図１と２で示したプロフィールを組み合わせた外観を有する。
【００３１】
溶解度の決定
上述した滴定、例えば弱塩基Ｂの高いｐＨ値から低いｐＨ値に滴定が、いわゆる「ｐＳｏｌ法」にしたがって溶解度プロフィールの電位差決定が用いられる（例えば上掲Avdeef, A.、1998参照）。しかしながら、ｐＳｏｌ滴定において、「完全」緩衝系の現象は、よい滴定結果を得るため研究においてごく少量の化合物しか用いないのがよいとされる理由から、頻繁には生じない。このことは、図１の点２に対応する最大の有効濃度に達する前に化合物の全量が溶解する状況に至る。このことは図３に例示されており、ｐＨ値の減少が溶解度プロフィールに沿って、図３の２’として表示された点に到達するまで導く。この点で化合物は完全に溶解し、溶液中のその量は、図３の水平の破線で示されるようにｐＨ値をさらに減少させても変化しない。それゆえ、化合物の全濃度は一定でＣＴ値である。
【００３２】
溶解度−ｐＨプロフィールの測定は「ｐＳｏｌ」装置で実施された（例えば上掲Avdeef, A.、2001参照）。ｐＳｏｌ装置を用いた電位差溶解度測定では入力因子として前記化合物の重量、溶液の体積、測定されたｐＫａおよび測定された（または計算された）オクタノール／水の分配係数、ｌｏｇＰを必要とする。後者の因子は固有溶解度、Ｓ０を評価するのに用い、ハンシュ(Hansch)型の式を用いて
ｌｏｇＳ０＝１．１７−１．３８＊ｌｏｇＰ
または、適度な親油性のイオン化できる分子に対する改良された式を用いる。
ｌｏｇＳ０＝−２．１７−０．００８２ｌｏｇＰ−０．１３４（ｌｏｇＰ）２
【００３３】
前記化合物の重量、溶液の体積、ｐＫａおよび予想されたＳ０を用いて、評価前に全滴定曲線を数値処理しシミュレートする。シミュレートされた曲線は滴定経路中の個々のｐＨ測定値を収集するため機器のテンプレートとして役立つ。沈殿を含むｐＨドメインはそのシミュレーションから明らかである。サンプル懸濁液の滴定が溶解の方向に、最終的に完全溶解点を十分通過してなされる。固体の溶解速度は、古典的なＮｏｙｅｓ−Ｗｈｉｔｎｅｙ式で記述されるが、機器で考慮にいれる数多くの因子に依存する。例えば機器が、追加の固体を十分溶解するのに必要な時間が増大する完全溶解点に接近するにつれてｐＨデータの速度が遅くなる。沈殿が完全に溶解した後でのみ、機器は残りのデータを迅速に収集する。典型的には、完全平衡溶解度データ採取には３乃至１０時間を要する。化合物がより不溶解性であると（テンプレートに基づいて）予測されるほど、より長い評価時間となる。
【００３４】
ビヨラム(Bjerrum)プロット
分析化学で一般的に知られているように、ビヨラムプロットはｎＨ対ｐＨからなるプロットであり、ｎＨは物質の分子中の結合した水素の平均数である。ビヨラムプロットはいかなるｐＫａ値もｎＨの半積分位置で、ｐＨ値で表す。各種の関連した平衡の上記の説明から理解されるように、沈殿の存在によってビヨラムプロットの移動を生じさせ、ｐＫａAppとして表示される見掛けのｐＫａ値を与え、酸に対してはより高い値、塩基に対してはより低い値に移動させる。このことが（ａ）ケトプロフェン（弱酸として作用する）、（ｂ）プロパノロール（弱塩基として作用する）、（ｃ）エナラプリル（両性電解質として作用する）の飽和溶液に対して図４に示される。
【００３５】
固有溶解度Ｓ０は以下の関係式を適用して曲線の検討から推論でき、
ｌｏｇＳ０＝ｌｏｇ（Ｃ／２）−｜ｐＫａＡｐｐ−ｐＫａ｜
式中、Ｃはサンプル濃度である。
【００３６】
溶解度―ｐＨプロフィールおよびビヨラムプロットの他に、ｐＳｏｌ法から得られる他のタイプのプロフィールは流量因子プロフィール(Flux Factor Profiles)である（例えば上掲Avdeef, A.、1998参照）。流量因子プロフィールは化合物のすべての種の濃度分率をｐＨの関数として示す図である。
【００３７】
結晶化方法
結晶を得るために、図３に関して記載して前述した滴定の方向を逆にする。弱塩基化合物Ｂの場合、図５で示したように点４の手段によって低初期ｐＨ値で化合物の不飽和溶液から開始する。換言すれば、初期ｐＨ値および初期全濃度ＣＴを、溶液中の化合物が主として、または全体的に荷電したＢＨ＋が存在するように選ばれる。図５から分かるように、初期全濃度ＣＴは非電荷形Ｂの固有溶解度Ｓ０よりも大きい。
【００３８】
その後、ｐＨ値が徐々に増加される。このことによりＢＨ＋のＢへの脱プロトン化の増加に導くが、初期には固相の沈殿はない。点２’に到達すると滴定を止める。この目標点２’で、非電荷形の濃度が最大値［Ｂ］maxに達し、それは固有溶解度Ｓ０に等しい。それゆえ、目標の化合物の飽和溶液が到達され、実質的に飽和条件下で結晶化の実施に役立つことができる。
【００３９】
目標点２’は、目標点２’で全濃度が図５に示すようにＳ０とＳ０＋Ｓ＋の間にある限り、溶解度−ｐＨプロフィール上のいかなる場所で選べるであろう。例えば、ほぼ飽和の溶液、即ち、塩の溶解度Ｓ＋の極わずか下の初期全濃度ＣＴから開始し、溶解度−ｐＨプロフィール上の関係する交点２’に到達するまで徐々にｐＨ値を増加させる。
【００４０】
しかしながら、実際上の制限によって、目標点２’に非常に正確に到達するのは困難かもしれない。もしあまりにも大量の塩基が添加されると、ｐＨ値が点２’に対応する目標ｐＨ値を超えて、過飽和溶液が形成される可能性がある。それゆえ、滴定は、わずかに不飽和溶液に対応する溶解度−ｐＨプロフィールに極めて近い点で通常止められる。蓋のない瓶の中で溶液を保持し、溶媒の蒸発を遅くさせることにより、溶液の濃度がゆっくり増加し、実質的に飽和状態に到達する。これが結晶化の出発点である。以下、より詳細に論議するように、実質的に飽和条件下での結晶化には溶液系を常にできるかぎり溶解度−ｐＨプロフィールに近づけるように保持する適切な手段を講じる必要がある。
【００４１】
弱塩基の代わりに弱酸性化合物ＨＡを取り扱う場合、適切な溶解度プロフィールは図２に示される一般的な外観を有する。それゆえ、上記の結晶化手順を弱酸に適応させる場合、一般的に高ｐＨ値での不飽和溶液から出発して溶解度−ｐＨプロフィールの目標点に達するまでｐＨ値を徐々に減少させる必要がある。
【００４２】
両性電解質を取り扱う場合、原理的には極めて高いまたは極めて低いｐＨ値から出発して溶解度−ｐＨプロフィールの対応する部分の目標ｐＨ値に向かって移動する。
【００４３】
沈殿のない状態で滴定のためビヨラムプロットを参照曲線として用いるのは役に立つ。この参照曲線を役立てて、溶解度プロフィールの点１および２’をビヨラムプロットで定義することができる。これをファモチジン、比較的低ｐＨ値での塩基としての挙動とみなす両性電解質に対して図６に示す。図６の実線は沈殿のない参照状況を表し、丸印は低いｐＨ値から高いｐＨ値に滴定によって得られたデータを示す。実験曲線は２つの異なる点で参照曲線と一致する。最初の点は溶解度プロフィールの点２’と同じである。それは溶液中の非電荷形の最大濃度の到達を示唆する。この点で、荷電形の濃度は依然高いままだが、非電荷形はその最大濃度に既に到達している。より不溶解形が得られる方向にｐＨ値を変化させるために滴定を続けると、イオン形の濃度は下がるのが観察される。Ｈ＋の損失とともに益々ＢＨ＋は沈殿、Ｂ（ｓ）に移行され、一方、非電荷形の濃度は一定に留まる。このことは実験および参照曲線の他の交点に到達するまで続く。この交点が溶解度プロフィールの点１と同じである。この点で、沈殿は完了し、イオン形はその最小濃度に到達し、ほぼ非電荷形のみが溶液中に存在する。点２’と点１の間で化合物は沈殿の存在のため、見かけのｐＫａ値（即ち、ｐＫａAPP）を示す。上述したように、ｐＫａAPPは酸に対してより高い値、塩基に対してより低い値に移動する。
【００４４】
実際上の考慮
飽和溶液で、即ち過飽和を避けて結晶化を実施することで、非晶質固体を形成するリスクが大きく減少する。それゆえ、飽和溶液を形成するために化合物の傾向を検討する方法があることは役に立つ。これは溶解度−ｐＨプロフィールまたは得られたビヨラムプロットを滴定の逆方向を用いるｐＳｏｌ法と比較してなされるかもしれない。これはファモチジンを例として用い図６に示したビヨラムプロットを参照して説明される。図６の実験曲線は、不溶解形が主要である比較的高いｐＨ値約１１から出発して得られた。上記で既に説明したように、実験曲線が点１と点２’の間の範囲で参照曲線から逸脱するのは、沈殿の存在のためである。より高いｐＨ値からより低いｐＨ値に滴定することにより過飽和はない。
【００４５】
もし滴定の方向が逆の場合、即ちファモチジンがその溶解性から不溶解形にｐＨ値を増加して滴定される場合、実験的に決定されたビヨラム曲線は他の滴定方向で得られた実験的なビヨラム曲線からの一般的な逸脱を示すであろう。具体的には、過飽和によって生じる沈殿が目標点２’では開始せず、幾分高いｐＨ値の点２”で開始するであろう。つまり、低いｐＨ値から高いｐＨ値への滴定に対する実験データは点２”に達するまで参照曲線に従うであろう。さらに、沈殿が開始する点２”で結晶化速度は非常に大きいので非晶質固体を形成する十分な可能性がある。
【００４６】
従って、良好な結晶化結果を得るために、溶液中の非荷電化合物濃度をその固有溶解値に等しく保持するべきである。
【００４７】
最も単純な方法において、目標点２’に近づき、それから前記溶媒の蒸発を遅らせながら、ｐＨ値を実質的に一定に単純に保持するだけで十分である。これは溶解した化合物の量が結晶の形態で収集される固体の量より十分大きい場合機能する。つまり、比較的大量の溶液を用い、比較的に少量の結晶を収集する必要がある。そこで結晶化は基本的に目標点２’でのみ実施されるだろう。
【００４８】
しかしながら、大抵の状況では、できるだけ多くの結晶を収集することが望まれるであろう。このことは目標点２’に達した後、系は図５に示されるように溶解度プロフィールに沿って進展するであろうことを意味する。従って、ｐＨ値を濃度の変化に適合させる、またはその逆も同様である。
【００４９】
実際に、これは非荷電形の濃度を固有溶解度より上の予め規定された範囲内で維持されるように、非荷電形の濃度を監視しｐＨ値を規制することにより達成されるかもしれない。別な方法として、全濃度を予め決定した全溶解度プロフィールより上の予め規定された範囲内に維持するには化合物の全濃度を監視し、ｐＨ値を規制するかもしれない。
【００５０】
これは電位差溶解度測定に用いられているように装置の適切な適合によってなされるかもしれない。溶液用の容器および前記溶液のｐＨ値を測定するための適当なプローブに加えて、装置は管理された量の酸および塩基を前記溶液に添加する投与手段を含む。さらに、装置は溶液中に存在する少なくとも１つの化合物の形の濃度を測定するためのセンサー装置、およびｐＨプローブおよびセンサー手段から受け取った信号に応答して投与手段に作用するコントロールユニットを含む。投与手段は予め規定したプロフィールに合致するようｐＨ値を規制するようにプログラムされる。
【００５１】
好ましくは、容器はガラス製で磁気攪拌機のような攪拌手段を備える。当技術で知られる他のプローブが用いられるかもしれないが、ｐＨ値を測定するプローブは従来のガラス電極でよい。管理された量の酸および塩基溶液、例えば１ＮのＨＣｌ、ＮａＯＨまたはＫＯＨ溶液を添加する投与手段は、容器の中に導く分配ガラスチューブおよび適当な投与ユニットを含む。センサー手段は一般的に検出される種の同定に依存し、例えば、これらはＵＶまたは可視光測光的なプローブシステムでよい。コントロール手段は一般的に多くの信号入力チャネル、即ちｐＨプローブからの信号入力用でよく、センサー手段および他の監視装置、例えば温度装置を含む。さらに、コントロール手段はプログラム可能ユニット、要求された仕様を負荷する入力手段、特に溶解度プロフィールおよび特定の作業者指令の入力用手段を含むであろう。
【００５２】
濃度効果
結晶化の間に蒸発させる際、得られる濃度変化は以下の式により、見かけのｐＫａ値の移動を生じさせるであろう。
【数２】
2007069208.tif 000007
【００５３】
濃度の１０倍の変化が約１対数単位分ｐＫａ値の見かけ移動に導く。これは図７に例証されるが、添加されたサンプルの異なる量での一連のビヨラムプロットを示す。弱酸（Ａ）および弱塩基（Ｂ）、いずれも分子量３００で固有溶解度が５μｇ／ｍＬ（ｐＳ０＝４．８）および塩の溶解度７５ｍｇ／ｍＬ（ｐＳＡ，ｐＳＢＨ＝０．６）。サンプル濃度は、（ａ）０．０２ｍｇ／ｍＬ、（ｂ）０．１ｍｇ／ｍＬ、（ｃ）１．０ｍｇ／ｍＬ、（ｄ）１０ｍｇ／ｍＬ、（ｅ）１００ｍｇ／ｍＬであった。図７に見られるように、サンプル濃度の増加につれて曲線は弱酸に対するｐＫａから上方に、弱塩基に対してｐＫａから下方に移動する。
【００５４】
つまり、溶解度−ｐＨプロフィールは見かけのｐＫａ値、または化合物の全濃度に依存する。それゆえ、溶解度−ｐＨプロフィールはｐＨ値、化合物の全濃度を測定すること、適当な補正を適用することにより連続的に書き換えられるべきであり、弱塩基の場合には以下の式で与えられる。
【数３】
2007069208.tif 000008
および
【数４】
2007069208.tif 000009
【００５５】
しかしながら、図７はある条件下、見かけのｐＫａ値、または溶解度−ｐＨプロフィール上の化合物の全濃度の影響が制限されることを示している。実際、濃度の変化は約５倍未満にすべきである。図８に示すように、滴定用に全濃度が約５８ｍｇ／ｍＬのコデインを用いる場合、沈殿はｐＨ約７で始まる。滴定用に全濃度が約１３ｍｇ／ｍＬのコデインを用いる場合、沈殿はｐＨ約８で始まる。それにもかかわらず、２つの溶解度−ｐＨプロフィールは高ｐＨ値で重なるのが見られる。上記でさらに説明した結晶化手順において、溶解度−ｐＨプロフィール上の目標点２’に非常に近い点でｐＨ滴定を止めているので、溶液の全濃度は通常、開始から結晶が生じるまで５倍を超える変化はしない。これらの条件下、溶解度−ｐＨプロフィールは溶液の濃度にほとんど依存しないとみなすことができる。
【図面の簡単な説明】
【００５６】
【図１】弱塩基Ｂの溶解度−ｐＨプロフィールを示す。
【図２】弱酸ＨＡの溶解度−ｐＨプロフィールを示す。
【図３】飽和溶液および適度な固体の量から始めて、高ｐＨ値から低ｐＨ値に滴定の経路に沿って図１による弱塩基の溶解度−ｐＨプロフィールを示す。
【図４】（ａ）ケトプロフェン（酸性）、（ｂ）プロパノロール（塩基性）、（ｃ）エナラプリル（両性電解質）の飽和溶液のビヨラムプロットを示す。
【図５】不飽和溶液で低ｐＨ値から高ｐＨ値に滴定の経路に沿って図１による弱塩基の溶解−ｐＨプロフィールを示す。
【図６】沈殿のない参照状況を示す実線と、丸印は低ｐＨ値から高ｐＨ値に滴定によって得られたデータであるファモチジンのビヨラムプロットを示す。
【図７】弱酸（Ａ）および弱塩基（Ｂ）に対する（ａ）０．０２ｍｇＬ／ｍＬ、（ｂ）０．１ｍｇ／ｍＬ、（ｃ）１．０ｍｇ／ｍＬ、（ｄ）１０ｍｇ／ｍＬ、（ｅ）１００ｍｇ／ｍＬの異なる物質濃度の一連のビヨラムプロットを示す。
【図８】異なる出発濃度を有するコデインの溶解度−ｐＨプロフィールを示す。
【図１】
2007069208.tif 000010
【図２】
2007069208.tif 000011
【図３】
2007069208.tif 000012
【図４】
2007069208.tif 000013
【図５】
2007069208.tif 000014
【図６】
2007069208.tif 000015
【図７】
2007069208.tif 000016
【図８】
2007069208.tif 000017